(57)【要約】【課題】CMが終わった直後のコンテンツの本編部分の再生をより簡単に行わせることができるようにする。【解決手段】放送中の番組をユーザがリアルタイムで視聴している間、番組の本編のデータがバッファ１４に常時記録される。揮発性の記録媒体であるバッファ１４の記録容量は比較的短い時間の本編のデータを記録可能な分の容量とされる。バッファ１４の記録領域に空き領域がなくなった場合、先に記録した古いデータから順に上書きする形で、本編のデータの記録が繰り返される。放送中の番組のデータの再生が行われている場合において、短時間録画機能によって録画していた部分の再生がユーザにより指示された場合、直近のCM明けの位置以降のデータが順にバッファ１４から読み出され、直近のCM明け以降の追いかけ再生が行われる。本発明は、録画機器やテレビジョン受像機に適用することができる。【選択図】図１
2012004704.tif 000002
【特許請求の範囲】
【請求項１】
CMが挿入されているコンテンツを受信する受信手段と、
受信中の前記コンテンツを再生する再生手段と、
前記コンテンツの再生と並行して、前記コンテンツに挿入されているCMを検出する検出手段と、
検出されたCMを除く前記コンテンツの本編のデータを記録し、空き領域がなくなった場合、先に記録したデータから順に上書きして本編のデータを記録する記録手段と
を備え、
前記再生手段は、ユーザによる指示に応じて、受信中の前記コンテンツの再生に代えて、前記記録手段に記録されているデータに基づいて、所定のCMの直後の本編の開始位置から前記コンテンツを再生する
再生装置。
【請求項２】
前記再生手段は、直近のCMの直後の本編の開始位置から前記コンテンツを再生する
請求項１に記載の再生装置。
【請求項３】
前記記録手段は揮発性の記録媒体である
請求項１に記載の再生装置。
【請求項４】
前記再生手段は、前記記録手段に記録されているデータに基づいて前記コンテンツの再生を行っている場合において、再生位置が、受信中の前記コンテンツの位置と同じ位置になったとき、前記記録手段に記録されているデータに基づいて前記コンテンツの再生を行うことに代えて、受信中の前記コンテンツの再生を行う
請求項１に記載の再生装置。
【請求項５】
CMが挿入されているコンテンツを受信し、
受信中の前記コンテンツを再生し、
前記コンテンツの再生と並行して、前記コンテンツに挿入されているCMを検出し、
検出したCMを除く前記コンテンツの本編のデータを記録し、空き領域がなくなった場合、先に記録したデータから順に上書きして本編のデータを記録し、
ユーザによる指示に応じて、受信中の前記コンテンツの再生に代えて、記録しているデータに基づいて、所定のCMの直後の本編の開始位置から前記コンテンツを再生する
ステップを含む再生方法。
【請求項６】
CMが挿入されているコンテンツを受信し、
受信中の前記コンテンツを再生し、
前記コンテンツの再生と並行して、前記コンテンツに挿入されているCMを検出し、
検出したCMを除く前記コンテンツの本編のデータを記録し、空き領域がなくなった場合、先に記録したデータから順に上書きして本編のデータを記録し、
ユーザによる指示に応じて、受信中の前記コンテンツの再生に代えて、記録しているデータに基づいて、所定のCMの直後の本編の開始位置から前記コンテンツを再生する
ステップを含む処理をコンピュータに実行させるプログラム。
【発明の詳細な説明】
【技術分野】
【０００１】
本発明は、再生装置、再生方法、およびプログラムに関し、特に、CM(Commercial Message)が終わった直後のコンテンツの本編部分の再生をより簡単に行わせることができるようにした再生装置、再生方法、およびプログラムに関する。
【背景技術】
【０００２】
近年、HDD(Hard Disk Drive)などの記録媒体を搭載し、テレビジョン番組を録画する録画機器が普及してきている。
【０００３】
このような録画機器の中には、放送されている番組の視聴中、ユーザが見逃した部分を視聴できるようにするために番組の常時録画を行い、ユーザによる指示に応じて直前の部分に戻って再生を開始するような機能が搭載されているものがある。リモートコントローラの所定のボタンがユーザにより押されたとき、１０秒や１５秒などの所定の時間だけ前に戻って再生が開始される。
【０００４】
これにより、例えば、CMが始まったことから番組の視聴をやめて他の簡単な用事をして戻ったところ、CMが既に終わっていて番組本編が少し始まっていたような場合であっても、ユーザは見逃した番組本編の部分を視聴することが可能になる。
【先行技術文献】
【特許文献】
【０００５】
【特許文献１】特開２００７−１９３８９２号公報
【発明の概要】
【発明が解決しようとする課題】
【０００６】
上述したような常時録画の機能によれば、見逃し始めの位置である、CM明けの位置からちょうど再生を開始させるために手間がかかることがある。例えば、１０秒だけ前に戻るためのボタンが用意されている場合、そのボタンを押すことによって戻りすぎてしまったり、反対に、そのボタンを１回押すだけでは見逃し始めの位置まで戻ることができず、複数回押す必要があったりする。
【０００７】
また、従来の常時録画の機能によれば、番組のデータをHDDに常時書き込む必要があり、ユーザが実際に見るかどうかが分からない番組のデータを記録することのために機器の消費電力が高くなってしまう。また、HDDは物理的に駆動する部品を多く有する記録媒体であり比較的故障しやすいものであるから、番組のデータを常時書き込むことによってHDDの故障リスクが高くなってしまう。
【０００８】
本発明はこのような状況に鑑みてなされたものであり、CMが終わった直後のコンテンツの本編部分の再生をより簡単に行わせることができるようにするものである。
【課題を解決するための手段】
【０００９】
本発明の一側面の再生装置は、CMが挿入されているコンテンツを受信する受信手段と、受信中の前記コンテンツを再生する再生手段と、前記コンテンツの再生と並行して、前記コンテンツに挿入されているCMを検出する検出手段と、検出されたCMを除く前記コンテンツの本編のデータを記録し、空き領域がなくなった場合、先に記録したデータから順に上書きして本編のデータを記録する記録手段とを備え、前記再生手段は、ユーザによる指示に応じて、受信中の前記コンテンツの再生に代えて、前記記録手段に記録されているデータに基づいて、所定のCMの直後の本編の開始位置から前記コンテンツを再生する。
【００１０】
前記再生手段には、直近のCMの直後の本編の開始位置から前記コンテンツを再生させることができる。
【００１１】
前記記録手段は揮発性の記録媒体であるようにすることができる。
【００１２】
前記再生手段には、前記記録手段に記録されているデータに基づいて前記コンテンツの再生を行っている場合において、再生位置が、受信中の前記コンテンツの位置と同じ位置になったとき、前記記録手段に記録されているデータに基づいて前記コンテンツの再生を行うことに代えて、受信中の前記コンテンツの再生を行わせることができる。
【００１３】
本発明の一側面の再生方法は、CMが挿入されているコンテンツを受信し、受信中の前記コンテンツを再生し、前記コンテンツの再生と並行して、前記コンテンツに挿入されているCMを検出し、検出したCMを除く前記コンテンツの本編のデータを記録し、空き領域がなくなった場合、先に記録したデータから順に上書きして本編のデータを記録し、ユーザによる指示に応じて、受信中の前記コンテンツの再生に代えて、記録しているデータに基づいて、所定のCMの直後の本編の開始位置から前記コンテンツを再生するステップを含む。
【００１４】
本発明の一側面のプログラムは、CMが挿入されているコンテンツを受信し、受信中の前記コンテンツを再生し、前記コンテンツの再生と並行して、前記コンテンツに挿入されているCMを検出し、検出したCMを除く前記コンテンツの本編のデータを記録し、空き領域がなくなった場合、先に記録したデータから順に上書きして本編のデータを記録し、ユーザによる指示に応じて、受信中の前記コンテンツの再生に代えて、記録しているデータに基づいて、所定のCMの直後の本編の開始位置から前記コンテンツを再生するステップを含む処理をコンピュータに実行させる。
【００１５】
本発明の一側面においては、CMが挿入されているコンテンツが受信され、受信中の前記コンテンツが再生され、前記コンテンツの再生と並行して、前記コンテンツに挿入されているCMが検出される。また、検出されたCMを除く前記コンテンツの本編のデータが記録され、空き領域がなくなった場合、先に記録されたデータから順に上書きして本編のデータが記録される。ユーザによる指示に応じて、受信中の前記コンテンツの再生に代えて、記録しているデータに基づいて、所定のCMの直後の本編の開始位置から前記コンテンツが再生される。
【発明の効果】
【００１６】
本発明によれば、CMが終わった直後のコンテンツの本編部分の再生をより簡単に行わせることができる。
【図面の簡単な説明】
【００１７】
【図１】本発明の一実施形態に係る再生装置の構成例を示すブロック図である。
【図２】視聴中の番組とバッファに記録されるデータとの関係の例を示す図である。
【図３】視聴中の番組とバッファに記録されるデータとの関係の他の例を示す図である。
【図４】視聴中の番組とバッファに記録されるデータとの関係のさらに他の例を示す図である。
【図５】視聴中の番組とバッファに記録されるデータとの関係の例を示す図である。
【図６】視聴中の番組とバッファに記録されるデータとの関係の他の例を示す図である。
【図７】再生装置の処理について説明するフローチャートである。
【図８】コンピュータの構成例を示すブロック図である。
【発明を実施するための形態】
【００１８】
［再生装置の構成］
図１は、本発明の一実施形態に係る再生装置の構成例を示すブロック図である。
【００１９】
図１に示すように、再生装置１は、受信部１１、記録制御部１２、HDD１３、バッファ１４、再生制御部１５、およびCM検出部１６から構成される。CM検出部１６などの図１に示す構成のうちの少なくとも一部は、図示せぬCPU(Central Processing Unit)により所定のプログラムが実行されることによって実現される。
【００２０】
再生装置１の受信部１１に対しては、テレビジョン放送波によって放送された番組の信号や、インターネットなどのネットワークを介して送信されてきた番組の信号が入力される。番組（コンテンツ）にはCMが所定のタイミングで挿入されている。番組全体は、番組の本編とCMとから構成される。
【００２１】
受信部１１は、ユーザにより指示された番組の信号を受信し、番組の信号に対してA/D(Analog/Digital)変換処理や復調処理などの信号処理を施す。再生装置１の各部には、リモートコントローラなどの操作機器に対するユーザの操作の内容を表す信号も供給される。
【００２２】
受信部１１は、信号処理を施すことによって得られた番組のデータを出力する。受信部１１から出力された番組のデータは、記録制御部１２、再生制御部１５、およびCM検出部１６に供給される。
【００２３】
記録制御部１２は、番組の録画（記録）を行う場合、受信部１１から供給された番組のデータをHDD１３に記録させる。番組の録画は、例えば、ユーザにより設定された録画予約に従って、または、放送予定の番組の中から選択するなどして再生装置１により自動的に設定された録画予約に従って行われる。
【００２４】
また、記録制御部１２は、録画済みの番組の視聴ではなく、受信中の番組をユーザがリアルタイムで視聴している場合、受信部１１から供給された番組全体のデータのうち、本編のデータをバッファ１４に記録させる。CMの開始位置と終了位置を表す情報がCM検出部１６から記録制御部１２に供給されており、記録制御部１２においては、番組の本編の区間がCM検出部１６から供給された情報に基づいて特定される。
【００２５】
番組の本編のデータをバッファ１４に記録しておくことは、例えば、受信中の番組をユーザがリアルタイムで視聴している間、常時行われる。バッファ１４の記録容量は、１０分などの比較的短い時間の本編のデータを記録可能な分の容量とされる。バッファ１４の記録領域に空き領域がなくなった場合、先に記録した古いデータから順に上書きする形で、本編のデータの記録が繰り返される。
【００２６】
以下、適宜、受信中の番組をユーザがリアルタイムで視聴している間に常時行われる短時間の本編の録画機能を短時間録画機能という。
【００２７】
HDD１３は記録制御部１２から供給された番組のデータを記録する。HDD１３には、本編のデータとCMのデータからなる番組全体のデータが記録される。
【００２８】
バッファ１４はRAM(Random Access Memory)などの揮発性のメモリである。バッファ１４は、記録制御部１２から供給された番組の本編のデータを記録する。
【００２９】
再生制御部１５は、録画済みの番組の視聴がユーザにより指示された場合、番組のデータをHDD１３から読み出して再生する。再生して得られた番組の映像信号と音声信号は例えば外部のテレビジョン受像機に出力され、テレビジョン受像機において番組の映像の表示と音声の出力が行われる。
【００３０】
また、再生制御部１５は、受信中の番組を視聴することがユーザにより指示された場合、受信部１１から供給された受信中の番組のデータを再生する。
【００３１】
再生制御部１５は、受信中の番組のデータの再生を行っている場合において、短時間録画機能によって録画していた部分の再生がユーザにより指示された場合、番組の本編のデータをバッファ１４から読み出して再生する。
【００３２】
例えば、直近のCMの直後の本編の開始位置以降のデータ、すなわち、直近のCM明けの位置以降のデータが順にバッファ１４から読み出され、再生される。再生制御部１５においては、CM検出部１６から供給されたCM区間の開始位置と終了位置を表す情報に基づいて、直近のCM明けの位置が再生開始ポイントとして管理されている。
【００３３】
これにより、番組の現在受信中の位置を基準とすると、所定の時間だけ遡った位置にある本編の開始位置から、いわゆる追いかけ再生が開始されることになる。
【００３４】
CMが始まったことから番組の視聴をやめて他の簡単な用事をして戻ったところ、CMが既に終わっていて番組の本編が少し始まっていたような場合であっても、ユーザは、見逃した本編の部分を視聴することが可能になる。
【００３５】
また、ユーザは、再生開始ポイントからの再生を指示するだけといった簡単な操作によって、見逃した本編の部分を視聴することができる。再生開始ポイントからの再生の指示は、例えば、リモートコントローラに設けられている所定のボタンを１回押すことによって行われる。
【００３６】
短時間録画のために用いられる記録媒体は、録画予約の設定などに従って番組全体を録画するために用いられるHDD１３ではなくバッファ１４であるため、本編のデータをHDD１３に常時記録させておく場合に較べて消費電力を抑えることが可能になる。通常、揮発性の記録媒体であるバッファ１４を常時駆動させるのに必要な電力は、HDD１３を常時駆動させるときに必要な電力と較べて少ない。さらに、HDD１３の故障リスクを低減することが可能になる。
【００３７】
CM検出部１６は、受信部１１から供給された番組のデータを解析し、番組に挿入されているCMを検出する。例えば、音声方式（モノラル音声とステレオ音声）の切り替えを検出することによってCMの検出が行われる。また、受信部１１により受信された番組のデータにCMの開始位置と終了位置を表す情報が含まれている場合、その情報を検出することによってCMの検出が行われるようにしてもよい。CM検出部１６は、検出したCMの開始位置と終了位置を表す情報を記録制御部１２と再生制御部１５に出力する。
【００３８】
［追いかけ再生について］
以上のような構成を有する再生装置１により行われる追いかけ再生の詳細について説明する。ここでは、テレビジョン放送波によって放送された番組を再生する場合について説明するが、ネットワークを介して送信されてきた番組を再生する場合も同様である。
【００３９】
図２は、視聴中の番組と、バッファ１４に記録される番組のデータとの関係の例を示す図である。
【００４０】
図２の上段の帯はユーザが視聴中の番組（放送中の番組）を表し、下段の帯はバッファ１４の記録領域を表す。図２の横軸は時間を表す。
【００４１】
所定のチャンネルで放送されている番組の視聴がユーザにより時刻ｔ０において指示されたとき、受信部１１から供給されたデータに基づいて、放送中の番組の再生が再生制御部１５により開始され、放送中の番組の録画が記録制御部１２により開始される。バッファ１４には、時刻ｔ０以降の番組の本編のデータが順次記録される。
【００４２】
図２の例においては、放送中の現在の番組の位置が時刻ｔ１で表される位置とされている。バッファ１４の状態は、時刻ｔ０から時刻ｔ１までの区間の番組の本編のデータが記録された状態になる。
【００４３】
また、図２の例においては、バッファ１４の記録領域を表す帯の長さが時刻ｔ０から時刻ｔ２までの長さとされている。これは、バッファ１４の記録領域の容量が、番組のデータを時刻ｔ０から時刻ｔ２までの分だけ記録可能な容量であることを表す。
【００４４】
例えば、番組の放送が時刻ｔ２まで進み、バッファ１４の記録領域に空き領域がなくなったとき、図３に示すように、先に記録した古いデータから順に上書きして本編のデータの記録が続けられる。
【００４５】
図３の例においては、放送中の現在の番組の位置は時刻ｔ１２で表される位置とされている。バッファ１４の状態は、先に記録されていた時刻ｔ０から時刻ｔ１１までのデータに上書きして時刻ｔ２から時刻ｔ１２までの本編のデータが記録された状態になる。
【００４６】
このように、放送中の番組の視聴がユーザにより行われている間、番組の本編の録画が記録制御部１２により常時行われる。
【００４７】
図４は、CMが検出された場合の例を示す図である。
【００４８】
図４の例においては、放送中の現在の番組の位置は時刻ｔ２５で表される位置とされている。時刻ｔ２５までにCM＃１とCM＃２が検出されている。CM＃１の開始時刻は時刻ｔ２１、終了時刻は時刻ｔ２２であり、CM＃２の開始時刻は時刻ｔ２３、終了時刻は時刻ｔ２４である。バッファ１４の状態は、時刻ｔ０から時刻ｔ２１、時刻ｔ２２から時刻ｔ２３、時刻ｔ２４から時刻ｔ２５のそれぞれの区間の本編のデータが記録された状態になる。
【００４９】
この場合、図４に示すように、放送中の現在の番組の位置を基準として直近のCMであるCM＃２の終了位置となる時刻ｔ２４に対応する位置が、再生開始ポイントＰとして再生制御部１５により設定され、管理される。例えば、再生制御部１５が管理するメモリに位置を表す情報が記録されることによって再生開始ポイントＰが管理される。再生開始ポイントＰの位置は、CMが検出される毎に、直近のCMの終了位置（CM明けの位置）を常に示すように更新される。
【００５０】
図４に示すようにして再生開始ポイントＰが設定されている場合において、追いかけ再生が指示されたとき、図５に示すように、再生開始ポイントＰ以降のデータがバッファ１４から再生制御部１５により順次読み出され、再生される。すなわち、放送中の番組の再生は中断され、受信部１１から供給される番組のデータの再生に代えて、バッファ１４に記録されている本編のデータの再生が再生制御部１５により開始される。
【００５１】
図５の例においては、放送中の現在の番組の位置は時刻ｔ３２で表される位置であり、再生中の番組の位置は、時刻ｔ３２より前の時刻ｔ３１で表される位置とされている。バッファ１４に記録されているのは番組の本編のデータだけであるから、本編だけの追いかけ再生が行われることになる。追いかけ再生が行われている間も、放送中の番組の本編のデータはバッファ１４に順次記録される。
【００５２】
追いかけ再生の位置が放送中の現在の番組の位置に追いつき、同じ位置になったとき、追いかけ再生は停止され、バッファ１４に記録されているデータの再生に代えて、受信部１１から供給される放送中の番組のデータの再生が再生制御部１５により再開される。
【００５３】
追いかけ再生は番組の本編だけの再生であるから、図６に示すように、CMの放送が行われているときに追いかけ再生の位置が放送中の現在の番組の位置に追いつくことになる。追いかけ再生の位置が放送中の現在の番組の位置に追いついたか否かは、例えば、追いかけ再生の対象になっているバッファ１４に記録されているデータに付加されているタイムスタンプの情報と、受信部１１から供給される放送中の番組のデータに付加されているタイムスタンプの情報を比較することによって行われる。
【００５４】
［再生装置の動作］
図７のフローチャートを参照して、追いかけ再生を行う再生装置１の処理について説明する。
【００５５】
図７の処理は、所定の番組をリアルタイムで視聴することがユーザにより指示されたときに開始される。
【００５６】
ステップＳ１において、受信部１１は、番組を受信し、信号処理を施すことによって得られた番組のデータを出力する。
【００５７】
ステップＳ２において、再生制御部１５は、受信部１１から供給された放送中の番組のデータを再生する。
【００５８】
ステップＳ３において、記録制御部１２は、受信部１１から供給されたデータのうちの番組の本編のデータをバッファ１４に常時記録させることを開始する。
【００５９】
ステップＳ４において、CM検出部１６はCM検出を行い、CMを検出した場合、CMの開始位置と終了位置を表す情報を出力する。
【００６０】
ステップＳ５において、再生制御部１５は、バッファ１４に記録されているデータの再生を行っているか否か、すなわち、追いかけ再生中であるか否かを判定する。
【００６１】
追いかけ再生中ではないとステップＳ５において判定した場合、ステップＳ６において、再生制御部１５は、追いかけ再生がユーザにより指示されたか否かを判定する。
【００６２】
追いかけ再生が指示されていないとステップＳ６において判定した場合、ステップＳ７において、再生制御部１５は、放送中の現在の番組の位置がCM明けの位置であるか否かをCM検出部１６から供給された情報に基づいて判定する。
【００６３】
放送中の現在の番組の位置がCM明けの位置であるとステップＳ７において判定した場合、ステップＳ８において、再生制御部１５は、そのCM明けの位置を表す情報をメモリに記録するなどして再生開始ポイントを更新する。
【００６４】
再生開始ポイントの更新がステップＳ８において行われた場合、または、放送中の現在の番組の位置がCM明けの位置ではないとステップＳ７において判定された場合、ステップＳ１に戻り、以上の処理が繰り返される。
【００６５】
一方、追いかけ再生が指示されたとステップＳ６において判定した場合、ステップＳ９において、再生制御部１５は、放送中の番組の再生を中断し、バッファ１４に記録されている再生開始ポイント以降のデータを読み出して再生することによって本編の追いかけ再生を開始する。追いかけ再生が開始された後、ステップＳ１以降の処理が繰り返される。
【００６６】
追いかけ再生中であるとステップＳ５において判定した場合、ステップＳ１０において、再生制御部１５は、追いかけ再生の位置が放送中の現在の番組の位置に追いついたか否かを判定する。
【００６７】
追いかけ再生の位置が放送中の現在の番組の位置に追いついたとステップＳ１０において判定した場合、ステップＳ１１において、再生制御部１５は、受信部１１から供給される放送中の番組のデータの再生を再開する。
【００６８】
放送中の番組のデータの再生がステップＳ１１において再開された場合、または、追いかけ再生の位置が放送中の現在の番組の位置に追いついていないとステップＳ１０において判定された場合、ステップＳ１に戻り、以上の処理が繰り返される。
【００６９】
以上の処理により、ユーザは、CMが終わった直後の番組の本編部分の再生をより簡単に行わせることができる。また、そのことを、再生装置１の消費電力を抑えつつ、かつ、HDD１３の故障リスクを低減しつつ行うことが可能になる。
【００７０】
［変形例］
図１の例においては、再生装置１にHDD１３が設けられるものとしたが、HDD１３については設けられないようにすることが可能である。HDD１３を除く図１の構成がテレビジョン受像機内に設けられるようにすることによって、以上のような短時間録画の機能と追いかけ再生の機能をテレビジョン受像機に搭載することが可能になる。
【００７１】
また、以上においては、再生開始ポイントが直近のCM明けの位置に設定されるものとしたが、バッファ１４の先頭の位置、バッファ１４に記録されているデータのうちの最も古いデータの位置といったように、他の位置に設定されるようにしてもよい。再生開始ポイントが設定される位置をユーザが適宜選択することができるようにしてもよい。
【００７２】
［コンピュータの構成例］
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【００７３】
図８は、上述した一連の処理をプログラムにより実行するコンピュータのハードウェアの構成例を示すブロック図である。
【００７４】
CPU(Central Processing Unit)５１、ROM(Read Only Memory)５２、RAM(Random Access Memory)５３は、バス５４により相互に接続されている。
【００７５】
バス５４には、さらに、入出力インタフェース５５が接続されている。入出力インタフェース５５には、キーボード、マウスなどよりなる入力部５６、ディスプレイ、スピーカなどよりなる出力部５７が接続される。また、入出力インタフェース５５には、ハードディスクや不揮発性のメモリなどよりなる記憶部５８、ネットワークインタフェースなどよりなる通信部５９、リムーバブルメディア６１を駆動するドライブ６０が接続される。
【００７６】
以上のように構成されるコンピュータでは、CPU５１が、例えば、記憶部５８に記録されているプログラムを入出力インタフェース５５及びバス５４を介してRAM５３にロードして実行することにより、上述した一連の処理が行われる。
【００７７】
CPU５１が実行するプログラムは、例えばリムーバブルメディア６１に記録して、あるいは、ローカルエリアネットワーク、インターネット、デジタル放送といった、有線または無線の伝送媒体を介して提供され、記憶部５８にインストールされる。
【００７８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００７９】
本発明の実施の形態は、上述した実施の形態に限定されるものではなく、本発明の要旨を逸脱しない範囲において種々の変更が可能である。
【符号の説明】
【００８０】
１  再生装置，  １１  受信部，  １２  記録制御部，  １３  HDD，  １４  バッファ，  １５  再生制御部，  １６  CM検出部
【図１】
2012004704.tif 000003
【図２】
2012004704.tif 000004
【図３】
2012004704.tif 000005
【図４】
2012004704.tif 000006
【図５】
2012004704.tif 000007
【図６】
2012004704.tif 000008
【図７】
2012004704.tif 000009
【図８】
2012004704.tif 000010